(57)【要約】【課題】ＱＯＬの向上を図るため、患者及び医療者に最適なＱＯＬ情報の提供を、必要時において迅速且つ確実に行うことができる、ＱＯＬ情報提供システムを得る。【解決手段】ＱＯＬ情報を保有する複数の企業においてはネットワークを介して前記ＱＯＬ情報を支援会社に提供する手段を設け、支援会社においては前記複数の企業から提供されるＱＯＬ情報をネットワークより取得すると共に前記ＱＯＬ情報を個々の患者及び医療者に最適な情報となるように選択分類して前記ネットワークを介して医療機関に提供する手段を設け、医療機関においては前記選択分類されたＱＯＬ情報を当該医療機関内の患者及び医療者が院内端末モニタより閲覧可能とする手段を設けて構成する。また、患者及び医療者が個々に所有する端末より上記ＱＯＬ情報を医療機関の内外で閲覧可能とする手段を設ける。【選択図】図２
2009245411.tif 000002
【特許請求の範囲】
【請求項１】
ＱＯＬ情報を保有する複数の企業においてはネットワークを介して前記ＱＯＬ情報を支援会社に提供する手段を設け、支援会社においては前記複数の企業から提供されるＱＯＬ情報をネットワークより取得すると共に前記ＱＯＬ情報を個々の患者及び医療者に最適な情報となるように選択分類して前記ネットワークを介して医療機関に提供する手段を設け、医療機関においては前記選択分類されたＱＯＬ情報を当該医療機関内の患者及び医療者が院内端末モニタより閲覧可能とする手段を設けて構成したことを特徴とする、ＱＯＬ情報提供システム。
【請求項２】
患者及び医療者が個々に所有する端末より上記ＱＯＬ情報を医療機関の内外で閲覧可能とする手段を設けたことを特徴とする、請求項１に記載のＱＯＬ情報提供システム。
【請求項３】
患者及び医療者が上記ＱＯＬ情報に掲載されている各々の商品についての相談，購入，問合せ，資料請求等を行う場合、上記院内端末モニタ又は個々に所有する端末より直接支援会社に対して行える手段を設けたことを特徴とする、請求項１又は請求項２に記載のＱＯＬ情報提供システム。
【発明の詳細な説明】
【技術分野】
【０００１】  本発明は、ＱＯＬ（Ｑｕａｌｉｔｙ  ｏｆ  Ｌｉｆｅ：原義は「生活の質」で、患者の立場に立った治療法を指す）の向上を図るため、患者及び医療者である医師や看護師に最適な医療情報の提供を行うことができる、ＱＯＬ情報提供システムに関するものである。
【背景技術】
【０００２】  がんは日本人の死亡原因における第一位を占める病気である。近年においては、早期発見早期治療により治癒することも多いものであるが、“がん”＝“死に至る病気”というイメージが強いため、がんを告知された患者及びその家族は大きな精神的不安を抱いていた。また、治療経過に伴う副作用（例えば頭髪などの脱毛）や手術後の容姿の変化（例えば乳房除去による体型変化）をイメージし、これから自分がどうなってしまうのだろうかという強い不安により、更なるストレスの発生を余儀なくされていた。【０００３】  また、がんを告知された後、担当医師より治療方法や治療計画など治療面での説明は受けるものの、生活面におけるアドバイスやケア情報に関しては十分な説明を受けられないことが少なくなかった。したがって、患者及びその家族は最適なケア商品を入手することができず、買い替えを余儀なくされるなど余計な労力と出費を招いていた。【０００４】  上記問題点を解決すべく、本願出願人は紙媒体によるＱＯＬ情報提供システムを実践し、多くの患者及び医療者より好評を得ている。該システムを、図１の従来のＱＯＬ情報提供システムの概略構成図に基づいて説明する。【０００５】  まず、ＱＯＬ情報を患者及び医療者に提供する支援会社３は、複数の企業１より各企業１が保有する複数の商品紹介パンフレット２ａ〜２ｎの提供を受ける。前記企業１が提供する商品には、抗がん剤治療による抜け毛を隠したり抜け毛の飛散防止を図るためのケア用帽子を始めとし、医療用かつら，付け眉毛，人工乳房，補正用下着，ケア用化粧品，ケア情報雑誌・書籍，保険，患者会情報，各種セミナー情報等がある。ここで、支援会社３は、個々の患者及び医療者に最適な商品紹介パンフレットを上記多数の商品群の中から選択分類し、それぞれ患者用商品紹介パンフレット４と、医療者用商品紹介パンフレット５に仕分けし、配布閲覧しやすいように各々を袋に入れたりファイルに入れてまとめておく。【０００６】  次に、医療機関６は、上記支援会社３より多数の患者用商品紹介パンフレット４と、医療者用商品紹介パンフレット５の提供を受ける。医療者８はがん治療前のオリエンテーション時に前記患者用商品紹介パンフレット４に掲載されている商品の説明を行うべく、事前に医療者用商品紹介パンフレット５を受け取っておく。ここで、がん治療開始前のオリエンテーション時において、患者７は、医療者８より患者用商品紹介パンフレット４を受け取り、自己の治療方法に見合った最適なＱＯＬ情報として、前記患者用商品紹介パンフレット４に掲載されている商品の説明を受けることになる。その後、患者７が前記患者用商品紹介パンフレット４に掲載されている各々の商品についての相談，購入，問合せ，資料請求等を行う場合、医療者８には行わずに直接支援会社３に対して行う。なお、図中符号９は前記相談，購入，問合せ，資料請求等の経路を示し、従来は電話によることが一般的である。【０００７】  上記システムにより、多忙な医療者８は、複数の企業１が提供する複数の商品紹介パンフレット２ａ〜２ｎの調査検討や選択分類に当てる手間が省けるため、実務に専念することができるという絶大なる効果が得られた。また、精神的不安を抱いている患者７及びその家族は、自己の治療方法に見合った最適なケア商品の購入やＱＯＬ情報を取得することができるという絶大なる効果が得られた。
【発明の開示】
【発明が解決しようとする課題】
【０００８】  しかしながら、上記紙媒体によるＱＯＬ情報提供システムには下記のような問題点があった。
［１］商品紹介パンフレットの形状がチラシであったり冊子であったりと個々に異なり、さらには大きさも異なるため、閲覧及び保管がしづらかった。
［２］商品紹介パンフレットの内容に変更又は更新若しくは誤植があった場合、刷り直しや修正作業が伴うため、手間及び費用がかかっていた。
［３］商品紹介パンフレットの保管状態が悪い場合、必要なときに直ぐに情報を得ることができず、紛失した場合には再度もらう必要があった。【０００９】  本発明は、上記問題点をすべて解決するために成されたものであり、ＱＯＬの向上を図るため、患者及び医療者に最適なＱＯＬ情報の提供を、必要時において迅速且つ確実に行うことができる、ＱＯＬ情報提供システムを提供することを目的とする。
【課題を解決するための手段】
【００１０】  上記課題を解決するため、本発明のＱＯＬ情報提供システムは、ＱＯＬ情報を保有する複数の企業においてはネットワークを介して前記ＱＯＬ情報を支援会社に提供する手段を設け、支援会社においては前記複数の企業から提供されるＱＯＬ情報をネットワークより取得すると共に前記ＱＯＬ情報を個々の患者及び医療者に最適な情報となるように選択分類して前記ネットワークを介して医療機関に提供する手段を設け、医療機関においては前記選択分類されたＱＯＬ情報を当該医療機関内の患者及び医療者が院内端末モニタより閲覧可能とする手段を設けて構成する。【００１１】  また、患者及び医療者が個々に所有する端末より上記ＱＯＬ情報を医療機関の内外で閲覧可能とする手段を設ける。【００１２】  さらに、患者及び医療者が上記ＱＯＬ情報に掲載されている各々の商品についての相談，購入，問合せ，資料請求等を行う場合、上記院内端末モニタ又は個々に所有する端末より直接支援会社に対して行える手段を設ける。
【発明の効果】
【００１３】  本発明のＱＯＬ情報提供システムによれば、該システムが提供するＱＯＬ情報は院内端末モニタ又は個々に所有する端末より閲覧可能な電子媒体データであるため、患者及び医療者は常に最適なＱＯＬ情報を必要時において迅速且つ確実に閲覧することができ、保管する必要もなくなるという絶大なる効果を奏する。また、ＱＯＬ情報の内容に変更又は更新若しくは誤植があった場合にも迅速且つ安価に対応することができるという効果も奏する。
【発明を実施するための最良の形態】
【００１４】  本発明を実施するための最良の形態を図を用いて説明する。【００１５】  図２は本発明のＱＯＬ情報提供システムの概略構成図である。該図に示すように、ＱＯＬ情報を保有する複数の企業１においては、ネットワーク１２を介して前記ＱＯＬ情報を支援会社３に提供するためのサーバー１０を設置し、さらに前記サーバー１０に当該ＱＯＬ情報を蓄積するためのデーターベース１１を接続した設備を構築する。【００１６】  また、支援会社３においては、前記複数の企業１から提供されるＱＯＬ情報をネットワーク１２より取得する（図中符号Ａ）と共に前記ＱＯＬ情報を個々の患者及び医療者に最適な情報となるように選択分類して前記ネットワーク１２を介して医療機関６に提供する（図中符号Ｂ→Ｂ’）ためのサーバー１３を設置し、さらに前記サーバー１３に当該ＱＯＬ情報を蓄積するためのデーターベース１４を接続した設備を構築する。【００１７】  また、医療機関６においては、前記選択分類されたＱＯＬ情報をネットワーク１２より取得する（図中符号Ｂ’）と共に当該医療機関６内の患者７及び医療者８が院内端末モニタ１７より閲覧可能とするためのサーバー１５を設置し、さらに前記サーバー１５に当該選択分類されたＱＯＬ情報を蓄積するためのデーターベース１６を接続した設備を構築する。また、医療機関６内に設置された多数の院内端末モニタ１７とサーバー１５とは院内ＬＡＮ（図示せず）にて接続する。【００１８】  上記ネットワーク１２は現状ではインターネットが好適であるが、いかなる形態のネットワークであっても構わない。また、上記院内ＬＡＮは有線ＬＡＮ又は無線ＬＡＮの何れであっても構わない。【００１９】  図３は院内端末モニタのモニタ画面表示例である。該図に示すように、ＱＯＬ情報を閲覧する際においては、院内端末モニタ１７のモニタ画面１９に、（ａ）のＩＤ及びパスワードの入力要求画面が表示される。患者７及び医療者８には予めＱＯＬ情報を閲覧するためのＩＤ及びパスワードが付与されており、院内端末モニタ１７のモニタ画面１９上において、ＩＤ入力欄２０及びパスワード入力欄２１に当該閲覧者のＩＤ及びパスワードを入力した後、ログインボタン２２を押す。【００２０】  正しいＩＤ及びパスワードが入力されログインに成功すると、（ｂ）のメニュー選択画面が表示される。ここで、モニタ画面１９には患者７及び医療者８の名前が「ようこそ○○○○様」として表示され、さらに「ケア用帽子」，「医療用かつら」，「付け眉毛」，「人工乳房」，「保険」，「患者会」などの多数のメニュー選択ボタン２３が表示される。【００２１】  次に、患者７及び医療者８は必要なＱＯＬ情報のメニュー選択ボタン２３を押すことにより、（ｃ）のような詳細なＱＯＬ情報が得られることになる。ここでは、「ケア用帽子」を選択した状態を示し、該ケア用帽子の写真や詳細説明が掲載された商品詳細情報２４が表示される。ここで、該商品についての相談，購入，問合せ，資料請求等を行う場合、当該院内端末モニタ１７より院内ＬＡＮ及びサーバー１５を経由してネットワーク１２に接続され、直接支援会社３に対して行う（図中符号Ｃ→Ｃ’）ことができる。【００２２】  また、院内端末モニタ１７に代えて患者７及び医療者８が個々に端末１８を所有する場合は、医療機関６の内外で上記ＱＯＬ情報を閲覧することができ、上記と同様に、商品についての相談，購入，問合せ，資料請求等が端末１８専用のネットワークを介して直接支援会社３に対して行うことができる。【００２３】  上記説明した院内端末モニタ１７のモニタ画面１９は一実施例であり、内容やレイアウト等はいかなるものであっても構わないものである。また、端末１８は、ネットワーク対応の携帯電話やパソコンなどいかなるものであっても構わないものである。
【産業上の利用可能性】
【００２４】  上記ＱＯＬ情報提供システムは、がん患者及び医療者を対象としたシステムとして説明したが、他の疾病患者や妊婦などに対して実施しても同様の効果が得られるものである。
【図面の簡単な説明】
【００２５】
【図１】従来のＱＯＬ情報提供システムの概略構成図である。
【図２】本発明のＱＯＬ情報提供システムの概略構成図である。
【図３】院内端末モニタのモニタ画面表示例である。
【符号の説明】
【００２６】    １  企業
２ａ〜２ｎ  商品紹介パンフレット
３  支援会社
４  患者用商品紹介パンフレット
５  医療者用商品紹介パンフレット
６  医療機関
７  患者
８  医療者
９  問合せ経路
１０  サーバー
１１  データーベース
１２  ネットワーク
１３  サーバー
１４  データーベース
１５  サーバー
１６  データーベース
１７  院内端末モニタ
１８  端末
１９  モニタ画面
２０  ＩＤ入力欄
２１  パスワード入力欄
２２  ログインボタン
２３  メニュー選択ボタン
２４  商品詳細情報
【図１】
2009245411.tif 000003
【図２】
2009245411.tif 000004
【図３】
2009245411.tif 000005